(57)【要約】【課題】プリンターの電源スイッチ（押しボタンスイッチ１３）の状態にかかわらず、ブレーカー６により自動的な起動を可能としたプリンター、その電源起動装置およびその電源起動方法を提供すること。【解決手段】電源スイッチとしてロッカースイッチに代わって、その機械的姿勢が電気的オンオフの状態で変化のない押しボタンスイッチ１３を採用することに着目し、ブレーカー６のオン操作により当該プリンター１０に電源供給可能とするとともに、電源スイッチとしての押しボタンスイッチ１３と、押しボタンスイッチ１３のオン状態およびオフ状態を判断可能な制御部１８と、制御部１８の判断にもとづき押しボタンスイッチ１３のオン状態を表示可能な表示部１５と、オフ状態にある押しボタンスイッチ１３をオン状態に起動可能な自動起動部１７と、を設けたことを特徴とする。【選択図】図１
2013188941.tif 000002
【特許請求の範囲】
【請求項１】
電源スイッチと、
この電源スイッチを操作することにより起動するプリンターであって、
当該プリンターの電源をブレーカーに接続し、このブレーカーのオン操作により当該プリンターに電源供給可能とするとともに、
前記電源スイッチとしての押しボタンスイッチと、
この押しボタンスイッチのオン状態およびオフ状態を判断可能な制御部と、
この制御部の判断にもとづき前記押しボタンスイッチの前記オン状態を表示可能な表示部と、
前記オフ状態にある前記押しボタンスイッチを前記オン状態に起動可能な自動起動部と、
を設けたことを特徴とするプリンター。
【請求項２】
前記押しボタンスイッチは、これを機械的に押し込むことにより前記オン状態および前記オフ状態に切り替え可能であることを特徴とする請求項１記載のプリンター。
【請求項３】
前記自動起動部は、当該プリンターにおいて自動起動モードを設定することによりこれを作動可能としていることを特徴とする請求項１または２記載のプリンター。
【請求項４】
前記表示部は、前記ブレーカーによる当該プリンターへの電源供給時点では、前記押しボタンスイッチの前記オン状態を表示しないことを特徴とする請求項１ないし３のいずれかに記載のプリンター。
【請求項５】
電源スイッチと、
この電源スイッチを操作することにより起動するプリンターの電源起動装置であって、
前記電源スイッチを押しボタンスイッチとし、
前記プリンターの電源をブレーカーに接続し、このブレーカーのオン操作により前記プリンターに電源を供給可能とし、
前記押しボタンスイッチのオン状態およびオフ状態を判断する制御部と、
このオン状態にある前記押しボタンスイッチのそのオン状態を表示する表示部と、
前記押しボタンスイッチが前記オフ状態にあれば、これを前記オン状態とする自動起動部と、
を有するとともに、
この自動起動部により前記オン状態となった前記押しボタンスイッチの前記オン状態を前記表示部に表示することを特徴とするプリンターの電源起動装置。
【請求項６】
電源スイッチと、
この電源スイッチを操作することにより起動するプリンターの電源起動方法であって、
前記電源スイッチを押しボタンスイッチとし、
前記プリンターの電源をブレーカーに接続し、このブレーカーのオン操作により前記プリンターに電源を供給し、
前記押しボタンスイッチのオン状態およびオフ状態を判断し、
オン状態にある前記押しボタンスイッチのそのオン状態を表示部により表示し、
前記押しボタンスイッチがオフ状態にあれば、自動起動部により前記押しボタンスイッチを前記オン状態として、前記オン状態を前記表示部に表示することを特徴とするプリンターの電源起動方法。
【発明の詳細な説明】
【技術分野】
【０００１】
本発明はプリンター、その電源起動装置およびその電源起動方法にかかるもので、とくにブレーカーのオンオフ操作により電源をオンオフするようにしたプリンター、その電源起動装置およびその電源起動方法に関するものである。
【背景技術】
【０００２】
従来から、複数台のプリンター（たとえばサーマルプリンターその他）を使用している工場や配送センターなどにおいて、ブレーカー（遮断器）により電源管理を行う場合がある。
すなわち、これらの工場や配送センターなどにおいては、それぞれのプリンターの使用時間ないしは終了時間が作業者により異なるため、一部のプリンターの電源を消し忘れるなどの問題がある。
したがって、最終退社時に、ブレーカーをオフ操作することにより電源を一斉に切ること、さらに、翌日には、ブレーカーをオン操作することにより、それぞれのプリンターの電源を一斉にオンとしたいという要請がある。
【０００３】
図３にもとづき、従来のプリンター１の電源起動装置２について概説する。
図３は、従来のプリンター１およびその電源起動装置２の概略側面図であって、プリンター１は、任意の方式（たとえばサーマル方式）を採用可能であり、電源スイッチ３を有し、その複数台が接続ケーブル４にそれぞれのプラグ５を接続することにより、ブレーカー６さらには電源供給部７に接続されている。
【０００４】
プリンター１の電源起動装置２は、電源スイッチ３と、ブレーカー６および電源供給部７と、を有し、ブレーカー６におけるブレーカースイッチ８のオンオフ操作および電源スイッチ３のオンオフ操作よりプリンター１に電源を供給遮断可能としている。
【０００５】
電源スイッチ３としては、図示のようなロッカースイッチが用いられていることが多い。
ロッカースイッチは、一回目のスイッチ動作時には、その内部に設けた機械的なロック機構（図示せず）によりその動作状態（たとえばオン状態）が保持され、二回目のスイッチ動作で、上記ロック機構が解除される状態（たとえばオフ状態）となる、いわば、オンオフの姿勢がそれぞれ異なっていて、作業者がスイッチのオンオフ状態を視認可能なオルタネイト動作を行うものである。
しかしながら、ロッカースイッチは、高価であり、また、そのサイズが大きいために作業者によらずに自動的に機械的なオンオフ操作を行うことが困難であるとともに、たとえ電気回路により自動的にオンオフすることは可能であっても、たとえば、ロッカースイッチの機械的姿勢がオンになっているにもかかわらず、電気的にはオフになっている場合には、スイッチひいてはプリンター１自体のオンオフ判断に作業者が戸惑うという問題がある（もちろん逆に、ロッカースイッチの姿勢がオフであっても、電気的にはオンになっている場合もありうる）。
【先行技術文献】
【特許文献】
【０００６】
【特許文献１】特開平１１−２１２６８２号公報
【発明の概要】
【発明が解決しようとする課題】
【０００７】
本発明は以上のような諸問題にかんがみなされたもので、とくに複数台のプリンターの電源をブレーカーにより一括してオンオフするようにしたプリンター、その電源起動装置およびその電源起動方法を提供することを課題とする。
【０００８】
また本発明は、高価かつオンオフの状態について混乱しやすいロッカースイッチを用いることなく、プリンターの電源をオンオフすることができるようにしたプリンター、その電源起動装置およびその電源起動方法を提供することを課題とする。
【０００９】
また本発明は、プリンターの電源スイッチの状態にかかわらず、ブレーカーにより自動的な起動を可能としたプリンター、その電源起動装置およびその電源起動方法を提供することを課題とする。
【課題を解決するための手段】
【００１０】
すなわち本発明は、電源スイッチとしてロッカースイッチに代わって、その機械的姿勢が電気的オンオフの状態で変化のない押しボタンスイッチを採用すること、および、押しボタンスイッチのオン状態を表示する表示部と、オフ状態の押しボタンスイッチをオン状態に起動する自動起動部と、を設けることに着目したもので、第一の発明は、電源スイッチと、この電源スイッチを操作することにより起動するプリンターであって、当該プリンターの電源をブレーカーに接続し、このブレーカーのオン操作により当該プリンターに電源供給可能とするとともに、上記電源スイッチとしての押しボタンスイッチと、この押しボタンスイッチのオン状態およびオフ状態を判断可能な制御部と、この制御部の判断にもとづき上記押しボタンスイッチの上記オン状態を表示可能な表示部と、上記オフ状態にある上記押しボタンスイッチを上記オン状態に起動可能な自動起動部と、を設けたことを特徴とするプリンターである。
【００１１】
第二の発明は、電源スイッチと、この電源スイッチを操作することにより起動するプリンターの電源起動装置であって、上記電源スイッチを押しボタンスイッチとし、上記プリンターの電源をブレーカーに接続し、このブレーカーのオン操作により上記プリンターに電源を供給可能とし、上記押しボタンスイッチのオン状態およびオフ状態を判断する制御部と、このオン状態にある上記押しボタンスイッチのそのオン状態を表示する表示部と、上記押しボタンスイッチが上記オフ状態にあれば、これを上記オン状態とする自動起動部と、を有するとともに、この自動起動部により上記オン状態となった上記押しボタンスイッチの上記オン状態を上記表示部に表示することを特徴とするプリンターの電源起動装置である。
【００１２】
第三の発明は、電源スイッチと、この電源スイッチを操作することにより起動するプリンターの電源起動方法であって、上記電源スイッチを押しボタンスイッチとし、上記プリンターの電源をブレーカーに接続し、このブレーカーのオン操作により上記プリンターに電源を供給し、上記押しボタンスイッチのオン状態およびオフ状態を判断し、オン状態にある上記押しボタンスイッチのそのオン状態を表示部により表示し、上記押しボタンスイッチがオフ状態にあれば、自動起動部により上記押しボタンスイッチを上記オン状態として、上記オン状態を上記表示部に表示することを特徴とするプリンターの電源起動方法である。
【００１３】
上記押しボタンスイッチは、これを機械的に押し込むことにより上記オン状態および上記オフ状態に切り替え可能であることができる。
【００１４】
上記自動起動部は、当該プリンターにおいて自動起動モードを設定することによりこれを作動可能としていることができる。
【００１５】
上記表示部は、上記ブレーカーによる当該プリンターへの電源供給時点では、上記押しボタンスイッチの上記オン状態を表示しないことができる。
【００１６】
上記プリンターの印字方式としては、任意のものを採用可能であるが、コンパクトかつ安価なサーマル印字方式のものが好ましい。
【発明の効果】
【００１７】
本発明によるプリンター、その電源起動装置およびその電源起動方法においては、押しボタンスイッチのオン状態を表示する表示部と、オフ状態の押しボタンスイッチをオン状態に起動する自動起動部と、を設けたので、ブレーカーのオフ操作によりプリンター全体の電源をオフにすることができるとともに、ブレーカーのオン操作により自動起動部によるプリンター電源の自動起動と、表示部によるそのオン表示を行うことができる。
【００１８】
とくに第一の発明のプリンターによれば、ロッカースイッチより比較的低コストの押しボタンスイッチを採用したので、低コストでプリンターの電源起動装置を装備可能であるとともに、工場や配送センターなどでの複数台のプリンターであっても、ブレーカーによる複数台のオンオフ操作を一括して確実に行うことができる。
【００１９】
とくに第二の発明のプリンターの電源起動装置によれば、オンオフの姿勢に変化がない押しボタンスイッチのオン状態を表示する表示部を設けているので、自動起動部による押しボタンスイッチの自動的なオン動作によって、プリンターの電源を起動可能であるとともに、押しボタンスイッチのオンオフ状態の判断に作業者が戸惑うことはない。
【００２０】
とくに第三の発明のプリンターの電源起動方法によれば、押しボタンスイッチのオン状態およびオフ状態を判断した上で、押しボタンスイッチのオン状態を表示部により表示するとともに、オフ状態にある押しボタンスイッチを自動起動部によりオン状態とするようにしたので、押しボタンスイッチによるオンオフ状態がそれぞれのプリンターにおいて異なっていても、ブレーカーによる複数台のプリンターの電源を一元的に管理することができる。
【図面の簡単な説明】
【００２１】
【図１】本発明の実施例によるプリンター１０およびプリンター１０の電源起動装置１１の概略側面図である。
【図２】同、プリンター１０および電源起動装置１１の動作を説明するフローチャート図である。
【図３】従来のプリンター１およびその電源起動装置２の概略側面図である。
【発明を実施するための形態】
【００２２】
本発明は、押しボタンスイッチのオン状態を表示する表示部と、オフ状態の押しボタンスイッチをオン状態に起動する自動起動部と、を設けたので、ブレーカーのオフ操作によりプリンター全体の電源をオフにすることができるとともに、ブレーカーのオン操作により自動起動部によるプリンター電源の自動起動と、そのオン表示を行うことができるプリンター、その電源起動装置およびその電源起動方法を実現した。
【実施例】
【００２３】
つぎに本発明の実施例によるプリンター１０、その電源起動装置１１およびその電源起動方法を図１および図２にもとづき説明する。ただし、図３と同様の部分には同一符号を付し、その詳述はこれを省略する。
図１は、プリンター１０およびプリンター１０の電源起動装置１１の概略側面図であって、プリンター１０は、プリンター本体１２と、プリンター本体１２側面に設けた押しボタンスイッチ１３（電源スイッチ）と、プリンター本体１２上面に設けた操作部１４および表示部１５と、プリンター本体１２内部に設けた駆動部１６、自動起動部１７および制御部１８と、を有する。
【００２４】
プリンター１０は、押しボタンスイッチ１３をオン操作することにより起動する、たとえばサーマルプリンターであって、このプリンター１０の複数台を前記プラグ５および接続ケーブル４を介して前記ブレーカー６に接続し、このブレーカー６における前記ブレーカースイッチ８のオン操作によってそれぞれのプリンター１０に電源を供給可能としている。
【００２５】
押しボタンスイッチ１３は、これを機械的に押し込むことによりそのオン状態およびオフ状態に切り替え可能であって、押しボタンスイッチ１３の押込み動作によりオン状態として押しボタンスイッチ１３を離すと、押しボタンスイッチ１３自体は初期位置に戻るとともに、再度の押込み動作によりオフ状態として押しボタンスイッチ１３を離すと押しボタンスイッチ１３自体は上記初期位置に戻る、いわゆるモーメント動作型のスイッチである。
【００２６】
操作部１４は、プリンター１０全体およびその電源起動装置１１の操作に必要なキーないしはボタンを有する。
【００２７】
表示部１５は、発光ダイオードや有機ＥＬなどを有するディスプレイパネルにより必要なデータおよびコマンドを表示可能としているもので、とくに押しボタンスイッチ１３のオンオフ状態に関する制御部１８の判断にもとづき押しボタンスイッチ１３のオン状態を表示可能である。
具体的には、ブレーカー６がオン操作されてプリンター１０に電源が供給されても、表示部１５はその点灯によりプリンター１０の起動を表示することなく、作業者としては、プリンター１０に電源が供給されたことを視認することができない。すなわち、ブレーカー６によるプリンター１０への電源供給時点では、たとえば前日にオン状態のままでブレーカー６のオフ操作で遮断された状態にある押しボタンスイッチ１３のオン状態を表示しない。
【００２８】
駆動部１６は、プリンター１０としての動作部であり、たとえばプリンター本体１２に装填されるラベル連続体その他印字用紙１９の位置検出部２０および移送印字部２１、さらに必要ならば印字用紙１９の切断部２２などである。
【００２９】
自動起動部１７は、オフ状態にある押しボタンスイッチ１３を、押しボタンスイッチ１３のオン操作なしに、任意の電気回路によってオン状態に起動可能である。
なお自動起動部１７は、プリンター１０の操作部１４および表示部１５において自動起動モードを設定することによりこれを作動可能としている。
【００３０】
制御部１８は、プリンター１０全体の制御を行うもので、とくにブレーカー６のオン操作により電源が供給された際の押しボタンスイッチ１３のオン状態およびオフ状態を判断可能である。
【００３１】
すなわち、本発明によるプリンター１０の電源起動装置１１は、電源スイッチを押しボタンスイッチ１３とし、上記表示部１５と、自動起動部１７と、制御部１８と、を有し、オン状態にある押しボタンスイッチ１３、さらに自動起動部１７によりオン状態となった押しボタンスイッチ１３のオン状態を表示部１５に表示する。
【００３２】
こうした構成のプリンター１０およびその電源起動装置１１の動作を以下説明する。
図２は、プリンター１０および電源起動装置１１の動作を説明するフローチャート図であって、たとえば工場や配送センターにおける作業開始時ないしは出社時に、ステップＳ１において、ブレーカー６をオンとする。
このブレーカー６のオン操作により、ステップＳ２において、電源供給部７からそれぞれのプリンター１０に電源を供給する。ただし、この段階で表示部１５を立ち上げず、すなわち、プリンター１０に電源が供給されたことの表示は行わず、表面上はプリンター１０はまだ起動していないように見える段階である。
【００３３】
つぎのステップＳ３において、制御部１８は、押しボタンスイッチ１３の状態（すなわち、オン状態およびオフ状態）を判断し、オフ状態であれば、ステップＳ４において自動起動モードに設定されているか否かを判断する。
自動起動モードに設定されていれば、ステップＳ５において自動起動部１７により押しボタンスイッチ１３をオン状態とし、ステップＳ６において、表示部１５をオンとして必要な表示を行う。すなわち、ステップＳ３においてオン状態にあると判断された押しボタンスイッチ１３のそのオン状態を表示部１５により表示するとともに、ステップＳ５において自動起動部１７によりオフ状態からオン状態にした押しボタンスイッチ１３のオン状態を表示部１５に表示する。
【００３４】
なお、ステップＳ４において、自動起動モードに設定されていないプリンター１０については、ステップＳ７においてその押しボタンスイッチ１３をオフ状態のままとしておく。
【００３５】
かくして、ブレーカー６のブレーカースイッチ８をオン操作するだけで、自動起動モードに設定されているすべてのプリンター１０の押しボタンスイッチ１３をオン状態とすることができ、このオン状態を表示部１５に表示して、具体的には、表示部１５に必要な初期画面が表示されて、作業者にプリンター１０が使用可能であることを明示することができる。
なお、ステップＳ４において説明したような自動起動モードにないプリンター１０については、個別に押しボタンスイッチ１３を操作することによりこれを起動可能であって、全体のシステムから切り離しておくことができる。
もちろん、工場や配送センターにおける作業終了時ないしは帰社時にブレーカー６をオフ操作することにより、すべてのプリンター１０について、それぞれの押しボタンスイッチ１３のオン状態あるいはオフ状態にかかわらず一括してオフ状態に遮断することができる。
【符号の説明】
【００３６】
１  プリンター（従来、図３）
２  プリンター１の電源起動装置
３  電源スイッチ（ロッカースイッチ）
４  接続ケーブル
５  プラグ
６  ブレーカー
７  電源供給部
８  ブレーカースイッチ
１０  プリンター（実施例、図１）
１１  プリンター１０の電源起動装置（実施例、図１）
１２  プリンター本体
１３  押しボタンスイッチ（電源スイッチ）
１４  操作部
１５  表示部
１６  駆動部
１７  自動起動部
１８  制御部
１９  印字用紙
２０  位置検出部
２１  移送印字部
２２  切断部
【図１】
2013188941.tif 000003
【図２】
2013188941.tif 000004
【図３】
2013188941.tif 000005